(57)【要約】【課題】複数のイヤホンをそれぞれの特性に応じて適切に使用することが可能な再生装置および再生方法を提供すること。【解決手段】楽曲を含むデータを記憶する記憶手段（メモリ１５０）と、記憶手段に記憶されているデータを再生する再生手段（楽曲再生部１６０）と、再生手段によって得られた音声信号を、イヤホンに対して出力する出力手段（イヤホン接続部１７０）と、出力手段に対して接続されるイヤホン毎の個別情報をイヤホンから取得する取得手段（イヤホン識別部）と、取得手段によって取得された個別情報に基づいて装置の環境設定を行う設定手段（中央制御部１００）と、を有する。【選択図】図２
2008294516.tif 000002
【特許請求の範囲】
【請求項１】
楽曲を含むデータを記憶する記憶手段と、
上記記憶手段に記憶されている上記データを再生する再生手段と、
上記再生手段によって得られた音声信号を、イヤホンに対して出力する出力手段と、
上記出力手段に対して接続される上記イヤホン毎の個別情報を上記イヤホンから取得する取得手段と、
上記取得手段によって取得された上記個別情報に基づいて装置の環境設定を行う設定手段と、
を有することを特徴とする再生装置。
【請求項２】
前記個別情報は前記イヤホン側の記憶部に記憶されており、
前記取得手段は、前記イヤホンが前記出力手段に接続された際に、上記記憶部から前記個別情報を取得する、
ことを特徴とする請求項１記載の再生装置。
【請求項３】
前記個別情報は、前記イヤホン毎に付与された識別情報であり、
前記設定手段は、前記個別情報に対応する環境設定を行うことを特徴とする請求項１または２記載の再生装置。
【請求項４】
前記個別情報は、前記イヤホンの特性に関する情報を有し、
前記設定手段は、上記特性に関する情報に基づいて環境設定を行う、
ことを特徴とする請求項１または２記載の再生装置。
【請求項５】
前記設定手段は、個々のイヤホンに対応した音量レベルを設定することを特徴とする請求項１から４のいずれか１項記載の再生装置。
【請求項６】
前記設定手段は、個々のイヤホンに対応したイコライザ特性を設定することを特徴とする請求項１から４のいずれか１項記載の再生装置。
【請求項７】
前記記憶手段に記憶されているデータを管理する管理情報を有し、
前記設定手段は、個々のイヤホンに対応する所定の管理情報に基づいて、前記記憶手段に記憶されているデータを管理する、
ことを特徴とする請求項１から４のいずれか１項記載の再生装置。
【請求項８】
所定の情報を表示する表示手段を有し、
前記設定手段は、個々のイヤホンに応じて上記表示手段の表示環境を設定することを特徴とする請求項１から４のいずれか１項記載の再生装置。
【請求項９】
楽曲を含むデータを記憶する記憶ステップと、
上記記憶ステップにおいて記憶された上記データを再生する再生ステップと、
上記再生ステップにおいて得られた音声信号を、イヤホンに対して出力する出力ステップと、
上記出力ステップにおいて出力される音声信号が供給される上記イヤホン毎の個別情報を上記イヤホンから取得する取得ステップと、
上記取得ステップにおいて取得された上記個別情報に基づいて装置の環境設定を行う設定ステップと、
を有することを特徴とする再生方法。
【発明の詳細な説明】
【技術分野】
【０００１】
本発明は、再生装置および再生方法に関する。
【背景技術】
【０００２】
特許文献１には、複数のユーザによってオーディオ再生機器を共有する技術が開示されている。すなわち、特許文献１には、各ユーザがそのオーディオ再生機器を普段使用している際の各種設定を、所定のボタンを操作することによってサーバ装置から呼び出すことができる技術が開示されている。
【０００３】
【特許文献１】特開２００５−２４２６６７号公報（特許請求の範囲、要約書）
【発明の開示】
【発明が解決しようとする課題】
【０００４】
近年、携帯型の再生装置が市場に数多く流通している。これらの携帯型再生装置は、内蔵されているメモリまたはＨＤＤ等の記憶装置に記憶されている楽曲を含むデータを再生し、イヤホンを用いて再生された楽曲を試聴することができる。
【０００５】
ところで、最近では、数多くの種類のイヤホンが販売されており、試聴する環境または目的に応じてイヤホンを選択するユーザも数多く存在する。イヤホンは、それぞれ特性が異なるため、使用するイヤホンに応じて、音量レベルを調整したり、イコライザを調整したりする必要があるため、ユーザにとっては操作が煩雑であるという問題点がある。
【０００６】
そこで、特許文献１の技術を用いて、イヤホン毎に設定情報を準備し、使用するイヤホンに応じたボタンを操作することにより、設定を変更することも考えられる。しかしながら、そのような方法の場合には、ユーザはイヤホンを変更するたびにボタンを操作する必要があるために煩雑である。また、ユーザは、イヤホンとボタンとの対応関係を記憶する必要があることから、ユーザに別の負担が生じるという問題点もある。
【０００７】
本発明は、上記の事情に基づきなされたもので、その目的とするところは、複数のイヤホンをそれぞれの特性に応じて適切に使用することが可能な再生装置および再生方法を提供することを目的とする。
【課題を解決するための手段】
【０００８】
上述の目的を達成するため、本発明の受信装置は、楽曲を含むデータを記憶する記憶手段と、記憶手段に記憶されているデータを再生する再生手段と、再生手段によって得られた音声信号を、イヤホンに対して出力する出力手段と、出力手段に対して接続されるイヤホン毎の個別情報をイヤホンから取得する取得手段と、取得手段によって取得された個別情報に基づいて装置の環境設定を行う設定手段と、を有する。
【０００９】
また、他の発明の再生装置は、上述の発明に加えて、個別情報がイヤホン側の記憶部に記憶されており、取得手段が、イヤホンが出力手段に接続された際に、記憶部から個別情報を取得するようにしている。
【００１０】
また、他の発明の再生装置は、上述の発明に加えて、個別情報が、イヤホン毎に付与された識別情報であり、設定手段が、個別情報に対応する環境設定を行うようにしている。
【００１１】
また、他の発明の再生装置は、上述の発明に加えて、個別情報が、イヤホンの特性に関する情報を有し、設定手段が、特性に関する情報に基づいて環境設定を行うようにしている。
【００１２】
また、他の発明の再生装置は、上述の発明に加えて、設定手段が、個々のイヤホンに対応した音量レベルを設定するようにしている。
【００１３】
また、他の発明の再生装置は、上述の発明に加えて、設定手段が、個々のイヤホンに対応したイコライザ特性を設定するようにしている。
【００１４】
また、他の発明の再生装置は、上述の発明に加えて、記憶手段に記憶されているデータを管理する管理情報を有し、設定手段が、個々のイヤホンに対応する所定の管理情報に基づいて、記憶手段に記憶されているデータを管理するようにしている。
【００１５】
また、他の発明の再生装置は、上述の発明に加えて、所定の情報を表示する表示手段を有し、設定手段が、個々のイヤホンに応じて表示手段の表示環境を設定するようにしている。
【００１６】
また、本発明の再生方法は、楽曲を含むデータを記憶する記憶ステップと、記憶ステップにおいて記憶されたデータを再生する再生ステップと、再生ステップにおいて得られた音声信号を、イヤホンに対して出力する出力ステップと、出力ステップにおいて出力される音声信号が供給されるイヤホン毎の個別情報をイヤホンから取得する取得ステップと、取得ステップにおいて取得された個別情報に基づいて装置の環境設定を行う設定ステップとを有する。
【発明の効果】
【００１７】
本発明によれば、複数のイヤホンをそれぞれの特性に応じて適切に使用することが可能な再生装置および再生方法を提供することができる。
【発明を実施するための最良の形態】
【００１８】
以下、本発明の一実施の形態について図に基づいて説明する。なお、以下では、（Ａ）実施の形態の構成例、（Ｂ）実施の形態の動作の概要、（Ｃ）実施の形態の動作の詳細、および、（Ｄ）変形実施の態様の順に説明する。なお、本発明の再生方法については、本発明の実施の形態の再生装置の動作として説明する。
【００１９】
（Ａ）実施の形態の構成例
【００２０】
図１は、本発明の実施の形態の再生装置およびイヤホンの構成例を示す概略斜視図である。この図に示すように、本発明の実施の形態の再生装置１０は、表示部１１０および操作ボタン１２１をその操作パネル面（図の奥行き方向手前側の面）に有する。また、天面（図の上下方向上側の面）には、イヤホン２０が接続される接続端子１７１が設けられている。なお、この図では、再生装置１０の詳細構造が明確になるように、再生装置１０を拡大して示しているので、実際の比率とは異なる。
【００２１】
イヤホン２０は、ヘアバンド型のイヤホンであり、２つの音声出力部２２０がユーザの耳介にそれぞれ当接するように装着され、再生装置１０において再生された信号を音声出力部２２０から音声として出力する。また、イヤホン２０は、再生装置１０に接続される接続端子としての再生装置接続部２００を有している。当該再生装置接続部２００の内部には、後述するように、イヤホンＩＤを記憶したイヤホンＩＤ記憶部２１０が配置されている。再生装置接続部２００と音声出力部２２０とはケーブルによって接続されている。なお、この例では、前述のようにヘアバンド型のイヤホン２０が例示してあるが、これ以外にも、例えば、外耳道に挿入するタイプ（カナル型）、外耳に引っかけるタイプ（インナーイヤー型）を使用することも可能である。
【００２２】
図２は、図１に示す再生装置１０の電気的な構成例を示すブロック図である。この図に示すように、再生装置１０は、中央制御部１００、表示部１１０、入力部１２０、Ｉ／Ｆ（Interface）部１３０、イヤホン識別部１４０、メモリ１５０、楽曲再生部１６０、および、イヤホン接続部１７０を主要な構成要素としている。
【００２３】
ここで、設定手段としての中央制御部１００は、例えば、ＣＰＵ（Central Processing Unit）またはＤＳＰ（Digital Signal Processor）によって構成され、例えば、メモリ１５０または内蔵された記憶部（不図示）に格納されているプログラムに応じて、装置の各部を制御する。
【００２４】
表示手段としての表示部１１０は、例えば、ＬＣＤ（Liquid Crystal Display）によって構成され、中央制御部１００から供給された情報（テキスト情報および画像情報等）を表示する。
【００２５】
入力部１２０は、例えば、キーデバイス等によって構成され、図１に示す操作ボタン１２１の操作に応じた情報を生成し、中央制御部１００に供給する。
【００２６】
Ｉ／Ｆ部１３０は、例えば、ＵＳＢ（Universal Serial Bus）等によって構成され、ＵＳＢ規格に基づいて、外部のパーソナルコンピュータ等との間で情報を授受する。
【００２７】
取得手段としてのイヤホン識別部１４０は、イヤホン接続部１７０に対してイヤホン２０が接続された場合に、イヤホン２０が有するイヤホンＩＤ記憶部２１０からイヤホンＩＤを取得し、イヤホン２０の種類を特定する。
【００２８】
記憶手段としてのメモリ１５０は、例えば、フラッシュメモリ等によって構成される。この例では、メモリ１５０は、楽曲データ１５１、楽曲情報１５２、および、設定情報１５３その他を有している。楽曲データ１５１は、例えば、ＭＰ３（MPEG-1 Audio Layer-3）またはＡＴＲＡＣ（Adaptive Transform Acoustic Coding）等によって圧縮処理が施されたデータである。なお、楽曲等の音声以外にも映像を含んでいてもよい。管理情報としての楽曲情報１５２は、楽曲データ１５１の属性情報であり、例えば、それぞれの楽曲を分類する際に使用される。設定情報１５３は、環境設定等を行うための情報であり、この例では、イヤホン毎に準備されている。
【００２９】
再生手段としての楽曲再生部１６０は、中央制御部１００によってメモリ１５０から取得された楽曲データを再生（デコード）し、得られた音声信号をイヤホン接続部１７０を介してイヤホン２０に供給する。
【００３０】
出力手段としてのイヤホン接続部１７０は、再生装置１０の天面に設けられている接続端子１７１を有するとともに、イヤホン２０が接続されたことを検出する検出部（不図示）を有している。接続端子は、ステレオ用の音声をイヤホン２０に供給するための右チャンネル端子、左チャンネル端子、および、グランド端子を有するとともに、イヤホンＩＤ記憶部２１０からイヤホンＩＤを読み出す際に使用される情報端子を少なくとも有する。なお、これら以外にも、例えば、ボリューム制御、再生、停止、スキップ等の制御を行うための制御情報端子を有していてもよい。
【００３１】
図３は、図１に示すイヤホン２０の電気的な構成例を示すブロック図である。この図に示すように、イヤホン２０は、再生装置接続部２００、イヤホンＩＤ記憶部２１０、音声出力部２２０、および、接続ケーブル２３０を主要な構成要素としている。
【００３２】
ここで、再生装置接続部２００は、図１に示すように、例えば、円筒形状を有する部材とその一端に設けられた接続端子とによって構成される。接続端子は、ステレオ用の音声を再生装置１０から受けるための右チャンネル端子、左チャンネル端子、および、グランド端子を有するとともに、イヤホンＩＤ記憶部２１０からイヤホンＩＤを読み出す際に使用される情報端子を少なくとも有する。また、円筒形状を有する部材の内部には、後述するイヤホンＩＤ記憶部２１０が配設され、当該イヤホンＩＤ記憶部２１０は接続端子の前述した情報端子およびグランド端子に接続されている。さらに、円筒形状を有する部材の内部には、接続ケーブル２３０が挿通されており、当該接続ケーブル２３０の一端は右チャンネル端子、左チャンネル端子、および、グランド端子に接続されている。また、他端は、音声出力部２２０に接続されている。
【００３３】
イヤホン側の記憶部としてのイヤホンＩＤ記憶部２１０は、例えば、イヤホンＩＤを記憶するＲＯＭ（Read Only Memory）およびこれから情報を読み出すための読み出し回路によって構成されており、再生装置１０から情報の読み出し指示を示す信号が供給された場合には、読み出し回路がＲＯＭからイヤホンＩＤを読み出して再生装置１０に供給する。なお、イヤホンＩＤとは、イヤホン毎に付与されたユニークな識別子である。なお、イヤホン毎ではなく、イヤホンの種類毎にイヤホンＩＤを付与するようにしてもよい。
【００３４】
音声出力部２２０は、電気−音響変換器であり、電気信号を音声に変換して出力する。なお、変換の方法としては、ダイナミック型、圧電型、静電型等がある。
【００３５】
接続ケーブル２３０は、図１に示すように、再生装置接続部２００と音声出力部２２０とを接続するケーブルであり、例えば、右チャンネルおよび左チャンネルに対応する銅線が、グランドに対応する銅線によってそれぞれ被覆された２つの同軸ケーブルによって構成される。
【００３６】
（Ｂ）実施の形態の動作の概要
【００３７】
つぎに、本発明の実施の形態の動作の概要について説明する。ユーザが所定のイヤホン２０を再生装置１０に接続すると、再生装置１０の中央制御部１００は、イヤホン接続部１７０の検出部（不図示）からの信号により、イヤホン２０が接続されたことを検出する。すると、中央制御部１００は、イヤホン識別部１４０に対してイヤホンＩＤを取得するように指示する。この結果、イヤホン識別部１４０は、イヤホンＩＤ記憶部２１０からイヤホンＩＤを取得し、中央制御部１００に供給する。
【００３８】
中央制御部１００は、供給されたイヤホンＩＤに対応する設定情報をメモリ１５０の設定情報１５３から取得する。設定情報としては、音量レベル、イコライザ情報、ランダム再生種別、文字サイズ、画面背景、および、ライブラリＩＤ等がある。
【００３９】
中央制御部１００は、取得した設定情報に基づいて環境設定を行う。すなわち、中央制御部１００は、楽曲再生部１６０に対して制御信号を送り、取得した音量レベルおよびイコライザ情報に基づいて、出力音量レベルと、イコライザ特性とを設定する。
【００４０】
また、中央制御部１００は、取得したランダム再生種別に基づいて、楽曲をランダム再生する際の設定（例えば、曲毎またはアルバム毎等の設定）を行う。さらに、中央制御部１００は、取得した文字サイズに基づいて、表示部１１０に表示する文字情報のサイズを設定するとともに、画面背景に基づいて、表示部１１０の背景画面を設定する。
【００４１】
さらにまた、中央制御部１００は、取得したライブラリＩＤに対応する楽曲情報をメモリ１５０の楽曲情報１５２から取得する。なお、楽曲情報は、複数のユーザが個別のイヤホンを使用する場合に、それぞれのイヤホン（ユーザ）に応じて、表示部１１０に表示される楽曲の一覧（楽曲リスト）を変更するために使用される。例えば、ユーザＡによって使用される場合には、クラッシック系の楽曲を一覧表示し、ユーザＢによって使用される場合には、ポップス系の楽曲を一覧表示するといった具合である。
【００４２】
そして、このようにして設定された楽曲リストから、ユーザは所望の楽曲を選択して再生させることができる。また、そのとき、音量レベルおよびイコライザ特性は、使用しているイヤホン２０に応じた最適な設定となっている。
【００４３】
なお、別のイヤホンが再生装置１０に新たに接続された場合には、前述の場合と同様の処理によって、当該イヤホンに最適な設定がなされる。あるいは、それを使用するユーザの嗜好に合致した設定がなされる。
【００４４】
以上に説明したように、本発明の実施の形態によれば、再生装置１０がイヤホン２０からイヤホンＩＤを読み取って、対応する環境設定を行うようにした。これにより、例えば、それぞれのイヤホン２０の特性に適合する音量レベルおよびイコライザ特性を設定することができる。
【００４５】
また、ユーザ毎にイヤホン２０を分けて使用する場合には、個々のユーザの嗜好に応じた環境を設定することができる。例えば、ユーザの嗜好に合った画面表示（文字サイズ、画面背景等）を行ったり、ユーザ毎に異なる楽曲を一覧表示させたりすることが可能になる。
【００４６】
また、イヤホン２０が再生装置１０に接続された際に、イヤホンＩＤを自動的に読み取って前述したような環境設定を行うようにしたので、ユーザが操作部を別途操作する手間を省略することができる。
【００４７】
（Ｃ）実施の形態の動作の詳細
【００４８】
つぎに、本発明の実施の形態の詳細な動作について説明する。
【００４９】
図４は、図２に示す再生装置１０において実行される処理の一例を説明するフローチャートである。この図に示すフローチャートの処理が開始されると、以下のステップが実行される。
【００５０】
ステップＳ１０：中央制御部１００は、イヤホン接続部１７０からの出力信号を参照し、イヤホン２０が接続されたか否かを判定し、接続された場合にはステップＳ１１に進み、それ以外の場合には同じ処理を繰り返す。より具体的には、ユーザが、図１に示すイヤホン２０の再生装置接続部２００を、接続端子１７１に接続すると、イヤホン接続部１７０に内蔵されている検出部（不図示）が検出信号を出力するので、中央制御部１００はイヤホン２０が接続されたことを検出し、ステップＳ１１に進む。
【００５１】
ステップＳ１１：中央制御部１００は、イヤホン識別部１４０に対してイヤホンＩＤを取得するように要求する。その結果、イヤホン識別部１４０は、イヤホン接続部１７０を介して、イヤホン２０のイヤホンＩＤ記憶部２１０からイヤホンＩＤを取得する。取得したイヤホンＩＤは、中央制御部１００に供給される。より具体的には、例えば、イヤホンＩＤとして、「ＩＤ−１」が取得される。
【００５２】
ステップＳ１２：中央制御部１００は、メモリ１５０の設定情報１５３を参照し、取得したＩＤが登録済みであるか否かを判定する。そして、登録済みである場合にはステップＳ１３に進み、それ以外の場合にはステップＳ１４に進む。
【００５３】
より具体的には、メモリ１５０の設定情報１５３としては、図５に示す情報が登録されている。この例では、設定情報１５３は、イヤホンＩＤ、音量レベル、イコライザ情報、ランダム再生種別、文字サイズ、画面背景、および、ライブラリＩＤを有している。ここで、「イヤホンＩＤ」は、個々のイヤホンに対して付与されたユニークな識別子である。この例では、ＩＤ−１、ＩＤ−２等の情報が格納されている。「音量レベル」は、デフォルトとして設定する音量のレベルである。同一のレベルの音声信号が出力された場合でも、イヤホンの感度等によって出力される音圧レベルが異なるので、これを均一化するために音圧レベルが用いられる。また、ユーザ毎に好みの音量レベルが異なるので、これを反映する目的も有する。
【００５４】
「イコライザ情報」は、イコライザを設定するための情報である。イヤホン毎に周波数特性が異なるためと、ユーザ毎に好みの周波数特性が異なるためにこれらに対応するために用いられる情報である。「ランダム再生種別」は、楽曲をランダムに再生する際の種別を示し、この例では、楽曲単位でランダム再生する「曲」と、アルバム単位でランダム再生する「アルバム」の２種類から選択される。「文字サイズ」は、表示部１１０に表示される文字のサイズを設定するための情報である。「画面背景」は、例えば、画面の背景として表示する画像（壁紙画像）を指定するための情報である。「ライブラリＩＤ」は、各ユーザ単位で異なる楽曲リストを表示するための「ライブラリ」を指定するＩＤである。
【００５５】
いまの例では、取得されたイヤホンＩＤである「ＩＤ−１」は、図５の第１行目に存在するので、登録済みであると判定され、ステップＳ１３に進む。
【００５６】
ステップＳ１３：中央制御部１００は、ステップＳ１１において取得したイヤホンＩＤに対応する設定情報をメモリ１５０から取得する。いまの例では、イヤホンＩＤ「ＩＤ−１」に対応する、図５の第１行目の情報が取得される。
【００５７】
ステップＳ１４：中央制御部１００は、未登録のイヤホンＩＤと、これに対応する設定情報とを新規に登録する「新規登録処理」を実行する。なお、この処理の詳細は、図９を参照して後述する。
【００５８】
ステップＳ１５：中央制御部１００は、ステップＳ１３で取得した設定情報、または、ステップＳ１４において新規に登録された設定情報に基づいて設定処理を実行する。すなわち、中央制御部１００は、設定情報の「音量レベル」に基づいて楽曲再生部１６０が出力する音量レベルを設定するとともに、「イコライザ情報」に基づいて楽曲再生部１６０のイコライザ特性を設定する。また、中央制御部１００は、「ランダム再生種別」に基づいてランダム再生する際の種別を設定する。また、中央制御部１００は、「文字サイズ」に基づいて、表示部１１０に表示する文字情報のサイズを設定するとともに、「画面背景」に基づいて、表示部１１０の背景に表示する画像（例えば、壁紙の画像）を設定する。
【００５９】
いまの例では、イヤホンＩＤとして「ＩＤ−１」が取得されているので、図５の第１行目に示すように、音量レベルとしては「１１」が設定される。また、イコライザ特性としては「ＥＱ−１」に対応する特性が設定される。なお、イコライザ特性としては、複数のイコライザ特性のパターンを予め準備し、これら複数のパターンのそれぞれにＥＱ−１、ＥＱ−２等の識別子を付与し、当該識別子を指定することにより、所望のパターンを選択できるにようにすればよい。なお、これ以外にも、例えば、再生帯域を複数の帯域に分割し、それぞれの帯域のレベルを数値によって指定するようにしてもよい。例えば、０〜１００Ｈｚは＋５ｄＢで、２００〜１０００Ｈｚは−５ｄＢでといった具合に指定することができる。
【００６０】
また、ランダム再生種別としては、「曲」が指定されているので、ランダム再生の際には楽曲単位でシャッフルが実行される。文字サイズとしては、「１０」が指定されているので、表示部１１０に表示される文字のサイズは「１０」に指定される。さらに、画面背景は、「Ｂａ−１」が指定されているので、これによって指定される画像データが背景画面とされる。
【００６１】
ステップＳ１６：中央制御部１００は、メモリ１５０の楽曲情報１５２の中から、ライブラリＩＤで指定される楽曲情報を取得する。いまの例では、ライブラリＩＤとして「Ｌａ−１」が設定されているので、中央制御部１００は、これに対応する楽曲情報をメモリ１５０の楽曲情報１５２の中から取得する。
【００６２】
図６は、楽曲情報１５２の構造の一例を示す図である。この図の例では、ライブラリＩＤ毎に領域が確保されて割り当てられている。なお、この例では、イヤホンＩＤとライブラリＩＤとが１対１の対応関係となるように、領域が確保されているが、複数のイヤホンＩＤに対して単一のライブラリＩＤを対応付けするようにしてもよい。
【００６３】
図７は、図６のそれぞれの領域に格納されている楽曲情報と、楽曲データとの対応関係を示す図である。図７（Ａ）は、アーティストと楽曲データとの対応関係を示す情報の一例であり、図７（Ｂ）は、アルバムと楽曲データとの対応関係を示す情報の一例であり、図７（Ｃ）は、ジャンルと楽曲データとの対応関係を示す情報の一例であり、図７（Ｄ）は楽曲データ１５１の一例を示している。この図に示すように、各楽曲データは、アーティスト、アルバム、および、ジャンルによって分類され、ポインタによって各分類と楽曲データとが対応付けされている。具体的には、楽曲データ＃１は、アーティスト＃１、アルバム＃３、および、ジャンル＃３に分類され、これらの各分類と楽曲データ＃１とがポインタＰ−１によって対応付けされている。なお、このような楽曲情報は、図６に示すように、ライブラリＩＤ単位で存在し、それぞれの内容も異なっている。例えば、ライブラリＩＤ「Ｌａ−１」に関しては、アーティスト＃１〜＃ｂを有しているが、ライブラリＩＤ「Ｌａ−２」については、これとは全く異なるアーティスト群またはアーティスト＃１〜＃ｂの一部または全てを含むアーティスト群を有している。
【００６４】
ステップＳ１７：中央制御部１００は、ステップＳ１６において取得された楽曲情報に基づいて、楽曲リストを表示部１１０に表示する処理を実行する。図８は、このとき表示部１１０に表示される情報の一例を示す図である。図８（Ａ）は、図７に示す楽曲情報に基づいて表示された表示例である。この例では、左側の画面において楽曲を表示する際の分類方法として「アーティスト」が選択され、これに基づいて右側の画面ではアーティストに基づいて楽曲を分類した楽曲リストが表示されている。すなわち、図７（Ａ）に示すように、「アーティスト＃１」に分類される楽曲は「楽曲＃１」および「楽曲＃２」であるのでこれらが表示され、また、「アーティスト＃２」に分類される楽曲は「楽曲＃３」であるのでこれらが表示され、さらに、「アーティスト＃３」に分類される楽曲は「楽曲＃４」および「楽曲＃５」である（不図示）のでこれらが表示されている。
【００６５】
図８（Ｂ）は、例えば、ライブラリＩＤが「Ｌａ−２」である場合の楽曲情報に基づいて、表示された楽曲リストの例である。この例では、アーティスト＃３〜＃５に関する楽曲が表示されている。すなわち、前述の場合と同様に、左側の画面において楽曲を表示する際の分類方法として「アーティスト」が選択され、これに基づいて右側の画面ではアーティストに基づいて楽曲を分類した楽曲リストが表示されている。具体的には「アーティスト＃３」に分類される楽曲として「楽曲＃４」および「楽曲＃５」が表示され、また、「アーティスト＃４」に分類される楽曲として「楽曲＃６」が表示され、さらに、「アーティスト＃５」に分類される楽曲として「楽曲＃７」および「楽曲＃８」が表示されている。また、図５に示すようにライブラリＩＤが「Ｌａ−１」と「Ｌａ−２」の設定情報では、文字サイズの設定が異なっており、「Ｌａ−１」が「１０」であり、「Ｌａ−２」が「１２」であるので、図８（Ｂ）に表示される文字の方が、図８（Ａ）に表示される文字よりも大きくなっている。
【００６６】
ステップＳ１８：中央制御部１００は、入力部１２０の操作ボタン１２１が操作されて所定の楽曲が楽曲リストの中から選択されたか否かを判定し、選択された場合にはステップＳ１９に進み、それ以外の場合には同様の処理を繰り返す。すなわち、楽曲の選択待ちの状態となる。具体的には、中央制御部１００は、例えば、図８（Ａ）の表示画面を参照して、ユーザが入力部１２０の操作ボタン１２１を操作し、所定の楽曲を選択した場合にはステップＳ１９に進み、それ以外の場合には楽曲が選択されるまで待ち状態となる。
【００６７】
ステップＳ１９：中央制御部１００は、ステップＳ１８において選択された楽曲の再生処理を実行する。すなわち、中央制御部１００は、ステップＳ１８において指定された楽曲データをメモリ１５０から取得し、楽曲再生部１６０に供給する。これにより、楽曲再生部１６０は選択された楽曲の再生を開始する。
【００６８】
ステップＳ２０：中央制御部１００は、処理を終了するか否かを判定し、処理を終了しない場合にはステップＳ１８に戻って同様の処理を繰り返し、それ以外の場合には処理を終了する。
【００６９】
つぎに、図９を参照して、図４のステップＳ１４に示す「新規登録処理」の詳細について説明する。この図のフローチャートの処理が開始されると、以下のステップが実行される。
【００７０】
ステップＳ３０：中央制御部１００は、図４のステップＳ１１で取得したイヤホンＩＤをメモリ１５０の設定情報１５３に新たに登録する。これにより、図５に示す設定情報に新たなイヤホンＩＤが追加登録される。
【００７１】
ステップＳ３１：中央制御部１００は、表示部１１０に対して、デフォルトの音量レベルを入力するように指示するメッセージを表示し、操作ボタン１２１が操作されて入力された音量レベルに関する情報を取得する。
【００７２】
ステップＳ３２：中央制御部１００は、表示部１１０に対して、イコライザ情報を入力するように指示するメッセージを表示し、操作ボタン１２１が操作されて入力されたイコライザ情報を取得する。なお、イコライザ情報を入力する方法としては、複数のパターンを予め準備しておき、これらの中から所望のパターンを選択するようにしたり、あるいは、再生周波数帯域を複数の帯域に分割し、それぞれの帯域のレベルを入力するようにしたりすることができる。
【００７３】
ステップＳ３３：中央制御部１００は、表示部１１０に対して、ランダム再生種別を入力するように指示するメッセージを表示し、操作ボタン１２１が操作されて入力されたランダム再生の種別に関する情報を取得する。具体的には、「曲」または「アルバム」のいずれかを選択させ、選択された方に関する情報を取得する。
【００７４】
ステップＳ３４：中央制御部１００は、表示部１１０に対して、文字サイズを入力するように指示するメッセージを表示し、操作ボタン１２１が操作されて入力された文字サイズに関する情報を取得する。例えば、複数のサイズの文字を例示し、いずれかの文字が選択された場合には、該当する文字サイズを取得する。
【００７５】
ステップＳ３５：中央制御部１００は、表示部１１０に対して、画面の背景を入力するように指示するメッセージを表示し、操作ボタン１２１が操作されて入力された画面背景に関する情報を取得する。例えば、複数の画像を例示し、いずれかの画像が選択された場合には、該当するファイル名を取得する。
【００７６】
ステップＳ３６：中央制御部１００は、ステップＳ３１〜Ｓ３５において入力された情報を、メモリ１５０の設定情報１５３のひとつとして登録する。これにより、図５に示す設定情報において、ステップＳ３０で登録されたイヤホンＩＤに対応付けされて各種の情報が登録される。
【００７７】
ステップＳ３７：中央制御部１００は、ライブラリを新たに作成するか否かを、ユーザに問い合わせ、新たに作成する場合にはステップＳ３８に進み、それ以外の場合には元の処理に復帰（リターン）する。なお、ライブラリを新たに作成せずに、既存のライブラリを使用するようにしてもよい。
【００７８】
ステップＳ３８：中央制御部１００は、ライブラリＩＤを生成する。すなわち、中央制御部１００は、既存のライブラリＩＤと重複しない新たなライブラリＩＤを生成する。
【００７９】
ステップＳ３９：中央制御部１００は、ユーザに対して楽曲情報を入力させる。具体的には、中央制御部１００は、メモリ１５０に記憶されている楽曲情報を表示部１１０に表示し、その中から所望の情報を選択させることにより、新たな楽曲情報を生成する。なお、このとき、Ｉ／Ｆ部１３０をパーソナルコンピュータに接続し、新たな楽曲データをメモリ１５０に追加し、当該楽曲も含む楽曲情報を生成するようにしてもよい。
【００８０】
ステップＳ４０：中央制御部１００は、ステップＳ３９において入力された楽曲情報をメモリ１５０の楽曲情報１５２のひとつとして登録する。すなわち、中央制御部１００は、図６に示すような新たな領域を追加作成するとともに、図７（Ａ）〜（Ｃ）に示すような情報を新たに生成された領域に対して登録する。そして、元の処理に復帰する。
【００８１】
以上に説明したように、本発明の実施の形態では、再生装置１０がイヤホン２０からイヤホンＩＤを読み取って、対応する環境設定を行うようにした。これにより、例えば、それぞれのイヤホン２０の特性に適合する音量レベルおよびイコライザ特性を設定することができる。
【００８２】
また、本実施の形態によれば、例えば、ユーザが楽曲のジャンル毎にイヤホンを使い分ける、といったことが可能になる。例えば、イヤホンＩＤが「ＩＤ−１」であるイヤホンが使用された場合には、ジャンル＃１およびジャンル＃２に属する楽曲のみを楽曲リストとして表示し、イヤホンＩＤが「ＩＤ−２」であるイヤホンが使用された場合には、ジャンル＃３およびジャンル＃４に属する楽曲のみを楽曲リストとして表示することができる。
【００８３】
また、ユーザ毎にイヤホン２０を分けて使用する場合には、個々のユーザに応じた最適な環境を設定することができる。例えば、ユーザの嗜好に合った画面表示（文字サイズ、画面背景等）を行ったり、ユーザ毎に異なる楽曲を一覧表示させたりすることが可能になる。
【００８４】
また、イヤホン２０が再生装置１０に接続された際に、イヤホンＩＤを自動的に読み取って前述したような環境設定を行うようにしたので、ユーザが操作部を別途操作する手間を省略することができる。
【００８５】
（Ｆ）変形実施の態様
【００８６】
なお、上述の実施の形態は、本発明の好適な例であるが、本発明は、これらに限定されるものではなく、本発明の要旨を逸脱しない範囲において、種々の変形、変更が可能である。
【００８７】
例えば、以上の実施の形態では、イヤホン２０には、イヤホンＩＤのみを格納するようにしたが、例えば、図１０に示すように、イヤホンＩＤとともに、イヤホンの特性を示す情報を併せてイヤホンＩＤ記憶部２１０に記憶するようにしてもよい。図１０に示す例では、イヤホンＩＤとともに、「接続タイプ」、「イヤホンタイプ」、「インピーダンス値」、「感度」、および、「周波数特性」が格納されている。ここで、「接続タイプ」は、有線または無線の別を示す。有線とは再生装置１０とイヤホン２０とが接続ケーブルによって接続されることを示し、無線とは再生装置１０とイヤホン２０とが無線（例えば、赤外線）によって接続されることを示す。「イヤホンタイプ」は、イヤホンの種類を示し、外耳道に挿入するカナル型、外耳に掛けるインナーイヤー型、頭に掛けるヘッドバンド型等がある。また、「インピーダンス値」は、イヤホンのインピーダンスの値を示す。また、感度は１ｍＷに対する出力音圧レベル（ｄＢ／ｍＷ）を示す。また、周波数特性は、それぞれの周波数における出力音圧を示す。この例では、周波数特性のパターンが複数準備されており、これら複数のパターンの中から、例えば、近似するものが選択され、対応する識別子が格納されている。なお、前述のように再生帯域を複数の帯域に分割し、それぞれの帯域の出力レベルを数値として格納するようにしてもよい。
【００８８】
このような情報を有するイヤホン２０が再生装置１０に接続された場合には、再生装置１０のイヤホン識別部１４０はイヤホンＩＤとともに、前述したイヤホンの特性を示す情報も併せて取得する。そして、取得したイヤホンＩＤに基づいて、前述したように、楽曲情報を特定して対応する楽曲リストを表示するとともに、ランダム再生種別、文字サイズ、および、画面背景等を設定する。
【００８９】
また、インピーダンス値および感度を用いて音量レベルを設定するとともに、周波数特性を参照して、再生特性がフラットになるようにイコライザ特性を設定する。例えば、音量レベルについては、インピーダンスに反比例し、また、感度に比例して出力音圧が増大するので、これらの値および目的となる出力音圧レベル（例えば、９０ｄＢ）に基づいて、音量レベルを設定する。なお、感度が一定である場合には、例えば、図１１に示すようなインピーダンスと、音量レベルとの対応表を用いて、音量レベルを一意に決めることも可能である。例えば、インピーダンス値が１６オームの場合には、音量レベルとして「８」が設定される。
【００９０】
また、イコライザ特性に関しては、例えば、周波数特性のパターンを指示する識別子（図１０の例）を用いる場合、格納されている識別子に対応するイコライザ特性を取得し、当該特性に基づいてイコライザ特性を設定する。また、帯域毎の出力音圧が数値として格納されている場合（例えば、０〜１００Ｈｚが＋５ｄＢ、２００〜１０００Ｈｚが−２ｄＢ等の場合）には、それを補間するようにイコライザ特性を設定すればよい。具体的には、０〜１００Ｈｚを−５ｄＢとし、２００〜１０００Ｈｚを＋２ｄＢに設定する等である。
【００９１】
なお、出力音圧レベルおよびイコライザ特性の設定は、イヤホンタイプを考慮して設定するようにしてもよい。すなわち、それぞれのタイプにより、イヤホンと鼓膜との間に形成される音波の伝送路の特性がそれぞれ異なるので、例えば、インナーイヤー型の場合には、音波の漏洩が少ないので音量レベルを低めに設定し、また、外耳道における共振が顕著に発生することからイコライザの当該周波数のレベルを低く設定する。
【００９２】
また、以上の実施の形態では、イヤホンＩＤ記憶部２１０に格納されているイヤホンＩＤは、有線通信によって取得するようにしたが、無線通信によって取得することも可能である。すなわち、イヤホン識別部１４０が赤外線または電波等によって、イヤホンＩＤを取得する構成としてもよい。その場合、例えば、ＲＦ（Radio Frequency）タグを用いてイヤホンＩＤを授受するようにすることができる。その結果、イヤホンＩＤ記憶部２１０を有していないイヤホンに対して、イヤホンＩＤを格納したＲＦタグを貼付することで、前述の場合と同様の機能を発揮させることができる。
【００９３】
また、以上の実施の形態では、図６に示すように、イヤホンＩＤとライブラリＩＤとは１対１の対応関係を有するようにした。しかしながら、例えば、複数のイヤホンＩＤに単一のライブラリＩＤが関連付けされるようにしてもよい。そのような方法によれば、例えば、同一のユーザが複数のイヤホンを使い分ける場合に対応することができる。
【００９４】
また、以上では、設定情報を新たに登録する場合についてのみ説明したが、登録済みの設定情報を編集できるようにしてもよい。具体的には、図９のステップＳ３１からステップＳ３５に示す処理によって修正する情報を入力し、ステップＳ３６の処理において、新たな設定情報によって既存の設定情報を上書きすることにより、設定情報の編集が可能となる。また、同様にして、登録済みのライブラリを編集可能としてもよい。具体的には、ステップＳ３９の場合と同様に、登録済みのライブラリを編集（追加または削除）したり、新たな楽曲を追加したりすることにより、登録済みのライブラリを編集できる。
【００９５】
また、以上の実施の形態では、楽曲データを、図６に示すように、個別の領域に格納するようにしたが、楽曲データは、例えば、同一の領域に一元的に保有しておき、イヤホン毎またはユーザ毎に図７に示す楽曲情報を準備して、個別に管理するようにしてもよい。そのような方法によれば、重複する楽曲データが格納され、記憶容量が浪費されることを防止できる。また、一元的に管理するのではなく、例えば、ユーザ毎やジャンル毎に楽曲データを分けて格納するようにしてもよい。
【００９６】
また、以上の実施の形態では、楽曲のみを含むデータを再生する場合を例に挙げて説明したが、これ以外にも、例えば、映像データや、それ以外のデータ（例えば、文字データ）を再生するようにしてもよい。
【００９７】
また、以上の実施の形態では、楽曲の再生のみを行う携帯型の再生装置を例に挙げて説明したが、本発明は、これ以外の装置にも適用することができる。例えば、据え置き型の再生装置に適用したり、メモリ以外の記憶媒体（例えば、光ディスク、ＨＤＤ（Hard Disk Drive））に記憶されたデータを再生する装置に対して適用したりすることができる。また、携帯電話等にも本発明を適用することができる。さらに、再生機能のみならず、録音（または録画）機能を有する装置にも本発明を適用可能である。
【産業上の利用可能性】
【００９８】
本発明は、例えば、携帯型再生装置に適用することができる。
【図面の簡単な説明】
【００９９】
【図１】本発明の実施の形態に係る再生装置の斜視図である。
【図２】図１に示す再生装置の構成例を示すブロック図である。
【図３】図１に示すイヤホンの構成例を示すブロック図である。
【図４】図２に示す再生装置において実行される処理の一例を説明するフローチャートである。
【図５】図２に示す設定情報の一例を示す図である。
【図６】図２に示す楽曲情報の格納状態の一例を示す図である。
【図７】図２に示す楽曲情報の一例を示す図である。
【図８】楽曲リストの表示例を示す図である。
【図９】図４に示す新規登録処理の詳細を示すフローチャートである。
【図１０】他の実施の形態においてイヤホンＩＤとともに格納される情報の一例である。
【図１１】インピーダンスと音量レベルとの対応付けをした表の一例である。
【符号の説明】
【０１００】
１０  再生装置
２０  イヤホン
１００  中央制御装置（設定手段）
１１０  表示部（表示手段）
１４０  イヤホン識別部（取得手段）
１５０  メモリ（記憶手段）
１５２  楽曲情報（管理情報）
１６０  楽曲再生部（再生手段）
１７０  イヤホン接続部（出力手段）
２１０  イヤホンＩＤ記憶部（イヤホン側の記憶部）
【図１】
2008294516.tif 000003
【図２】
2008294516.tif 000004
【図３】
2008294516.tif 000005
【図４】
2008294516.tif 000006
【図５】
2008294516.tif 000007
【図６】
2008294516.tif 000008
【図７】
2008294516.tif 000009
【図８】
2008294516.tif 000010
【図９】
2008294516.tif 000011
【図１０】
2008294516.tif 000012
【図１１】
2008294516.tif 000013